(57)【要約】【課題】  簡単な構成で、エレベータ用に採用して好適な押しボタンスイッチを提供する。【解決手段】  押しボタンスイッチ１は、開口部を有する外枠１１と、この外枠１１の内側に、互いに異なる波長の光を発する複数の発光源（発光ダイオード）１７ａ，１７ｂを配置し、発光源１７ａ，１７ｂで発光する波長に対応した光透過区分領域を形成したフィルタ１３ｃが押下部材１３に構成されている。  従って、押下部材１３に対する押し込み操作により、スイッチ素子１４を作動させたとき、作動した発光源からの光は、他の光透過区分領域と区別して、当該光の波長が透過する区分領域のみを透過して明るく表示可能である。【選択図】      図１
2006126735.tif 000002
【特許請求の範囲】
【請求項１】
区分領域に応じて互いに異なる波長の光を透過させるフィルタと、
このフィルタの前記区分領域を透過可能な各光の波長にそれぞれ対応する波長の光を発生し、その光が前記フィルタ面を透過するように構成された複数の発光源と
を具備することを特徴とする表示機構。
【請求項２】
前記フィルタは、文字または記号あるいは図形を表示する機能を付加したことを特徴とする請求項１に記載の表示機構。
【請求項３】
前記フィルタは、合成樹脂板あるいはガラス板に、シルク印刷またはレーザー印刷により、互いに異なる波長の光の透過区分領域を形成するように構成されたことを特徴とする請求項１または請求項２に記載の表示機構。
【請求項４】
前記複数の発光源は、赤色発光ダイオード及び青色発光ダイオードを含むことを特徴とする請求項１または請求項３のうちのいずれか１項に記載の表示機構。
【請求項５】
開口部を有する枠体と、
この枠体の内側に収納され、互いに異なる波長の光を発する複数の発光源と、
この複数の発光源のうち、少なくとも１つの発光源の発光動作をオン・オフ可能に、前記枠体の内側に設けられたスイッチ素子と、
このスイッチ素子を操作可能に前記枠体に装着され、光の透過区分領域に応じて互いに前記異なる波長の光を選択的に透過可能なフィルタ機能を備えた押下部材と
を具備することを特徴とする押しボタンスイッチ。
【請求項６】
前記押下部材は、前記光の透過区分領域に、文字または記号あるいは図形を表示したことを特徴とする請求項５に記載の押しボタンスイッチ。
【請求項７】
前記押下部材は、合成樹脂板あるいはガラス板へのシルク印刷またはレーザー印刷により、区分領域に応じて異なる波長の光を透過するフィルタを形成したことを特徴とする請求項５または請求項６に記載の押しボタンスイッチ。
【請求項８】
前記複数の発光源は、赤色発光ダイオード及び青色発光ダイオードを含むことを特徴とする請求項５ないし請求項７のうちのいずれか１項に記載の押しボタンスイッチ。
【請求項９】
開口部を有する枠体と、
この枠体に押し込み操作可能に装着され、光の透過区分領域に応じて互いに異なる波長の光を選択的に透過させるフィルタ機能を備えた押下部材と、
この押下部材に対する前記押し込み操作を受けて作動し、前記光の透過区分領域を透過する光を選択的に切り替え可能なスイッチ素子と
を具備することを特徴とする押しボタンスイッチ。
【発明の詳細な説明】
【技術分野】
【０００１】
本発明は、エレベータの利用客による操作受け付け用に採用して好適な押しボタンスイッチ、及びその押しボタンスイッチに採用して好適な表示機構の改良に関する。
【背景技術】
【０００２】
エレベータの各乗場階や乗りかご内の操作盤には、利用客の操作入力を受け付けるための押しボタンスイッチが設けられ、エレベータはその利用客による押しボタンスイッチの操作入力に基づいて運行制御される。
【０００３】
従来のエレベータ用の押しボタンスイッチは、図３に示すように構成されている。
【０００４】
図３は押しボタンスイッチ１の断面図で、押しボタンスイッチ１は、取り付け用フェースプレート２の取付孔２ａに嵌め込まれて取り付けられる。
【０００５】
図３に示した押しボタンスイッチ１は、上下に開口部を有する角筒状の外枠１１を備え、その外枠１１の上端部を枠取りするように嵌め込まれたボタン枠１１ａとともに、取付孔２ａに嵌め込み装着されている。
【０００６】
枠体である外枠１１の上部開口部には、ボタン枠１１ａを介して、光透過部材からなる板状の押下部材１３が嵌め込まれ、その押下部材１３は、図示矢印Ｚ（上下）方向に押し込み操作可能に組み込まれている。なお、押下部材１３は、ボタン枠１１ａによって上方外側には抜け出ないように規制されているとともに、下端面には透光性の文字フィルム１３ａ及び光拡散フィルム１３ｂが順次貼り付け固定されている。
【０００７】
外枠１１の下部開口部を塞ぐように回路基板１２が取り付けられ、回路基板１２の周縁部に沿って複数個のスイッチ素子１４，１４がマウントされている。
【０００８】
各スイッチ素子１４はそれぞれ作動ロッド１４ａを突出させており、その作動ロッド１４ａは、枠体状の操作子１５を介して、光拡散フィルム１３ｂの下端周縁部に弱い押圧力を受けて常時当接するように、スイッチ素子１４には不図示の圧縮バネ等が内蔵されている。
【０００９】
従って、利用客による押下部材１３の押し込み操作により、作動ロッド１４ａが押し下げられたとき、スイッチ素子１４は内蔵された接点間の導通によりスイッチング動作を行うように構成されている。
【００１０】
文字フィルム１３ａは、図４にその平面図を示したように、中央の階床表示領域１３ａａと、その階床表示領域１３ａａを囲む応答表示領域１３ａｂとを形成し、中央の階床表示領域１３ａａには階床番号（図４では、１の数字）が印刷されている。
【００１１】
回路基板１２には、内側（押下部材１３側）に向けて、文字フィルム１３ａの中央の階床表示領域１３ａａに対応する位置に複数の第１の発光ダイオード１７ａが、また応答表示領域１３ａｂに対応する位置に複数の第２の発光ダイオード１７ｂがそれぞれ配置されて取り付けられている。
【００１２】
そして、光拡散フィルム１３ｂの下面に、文字フィルム１３ａの階床表示領域１３ａａと応答表示領域１３ａｂとを仕切る筒状の遮光枠１６を下方に向けて突設し、第１の発光ダイオード１７ａからの光が応答表示領域１３ａｂ側への漏れたり、反対に第２の発光ダイオード１７ｂからの光が階床表示領域１３ａａ側へ漏れるのを防いでいる。
【００１３】
また、遮光枠１６の下端部と回路基板１２との間には、押下部材１３の押し込み操作を可能とするために予め隙間が形成されているが、その隙間からの光の漏れを防ぐために、回路基板１２側には、図示のように遮光枠１６にスライドしつつ仕切る枠状の第２の遮光枠１６ａが取り付け固定されている。
【００１４】
回路基板１２には、電源供給回路や信号授受の回路が印刷されていて、それらの回路は不図示のコネクタを介して、ハーネスにより電源及びエレベータの制御盤等に接続されている。
【００１５】
上記構成の押しボタンスイッチ１は、押下部材１３に対する押し込み操作に応じたスイッチ素子１４の動作により、不図示の制御盤が作動し、第１の発光ダイオード１７ａ及び第２の発光ダイオード１７ｂが点灯制御される。
【００１６】
上記構成の押しボタンスイッチ１を乗りかご内の行先階登録ボタンに採用したときの動作を以下説明する。
【００１７】
制御回路を構成したエレベータの制御盤は、行先階登録可能な階床に対応した押しボタンスイッチ１に対し、第１の発光ダイオード１７ａを点灯させ、予め階床表示領域１３ａａを明るく点灯表示する。
【００１８】
そこで、利用客（かご内乗客が）が当該押しボタンスイッチ１の押下部材１３を押し込み操作を行うと、スイッチ素子１４が作動し、そのスイッチング信号が制御盤に伝送されるので、制御盤は当該押しボタンスイッチ１の行先階登録操作があったことを検知して、第２の発光ダイオード１７ｂを点灯表示するように制御する。
【００１９】
その結果、押しボタンスイッチ１は、階床表示領域１３ａａに加えて、応答表示領域１３ａｂが明るく点灯表示されるので、利用客は当該押しボタンスイッチ１操作による行先階登録が適正に受理されたことを認識して、エレベータを安心して利用することができる。
【００２０】
なお、上記説明で、利用客が押下部材１３による押し込みを解除したときには、スイッチ素子１４の作動ロッド１４ａに対する付勢力により、押下部材１３（文字フィルム１３ａ及び光拡散フィルム１３ｂを含む）及び操作子１５は表面側にスライドして元の位置に復帰する。
【発明の開示】
【発明が解決しようとする課題】
【００２１】
上記説明の従来の押しボタンスイッチ１は、発光源である第１の発光ダイオード１７ａと第２の発光ダイオード１７ｂからの各照射光を仕切るために、第１及び第２の遮光枠１６，１６ａを内部に組み込む複雑な構成となるので改善が要望されていた。
【００２２】
そこで本発明は、上記従来の課題を解決するためになされたもので、遮光枠を必要とすることなく、簡単な構成で、押下部材に対する押し込み操作への応答表示が可能な表示機構、及びその表示機構を採用して、簡単な構成により区分表示領域に応じた適切な表示が可能な押しボタンスイッチを提供することを目的とする。
【課題を解決するための手段】
【００２３】
請求項１に係る発明の表示機構は、区分領域に応じて互いに異なる波長の光を透過させるフィルタと、このフィルタの前記区分領域を透過可能な各光の波長にそれぞれ対応する波長の光を発生し、その光が前記フィルタ面を透過するように構成された複数の発光源とを具備することを特徴とする。
【００２４】
請求項５に係る発明の押しボタンスイッチは、開口部を有する枠体と、この枠体の内側に収納され、互いに異なる波長の光を発する複数の発光源と、この複数の発光源のうち、少なくとも１つの発光源の発光動作をオン・オフ可能に、前記枠体の内側に設けられたスイッチ素子と、このスイッチ素子を操作可能に前記枠体に装着され、光の透過区分領域に応じて互いに前記異なる波長の光を選択的に透過可能なフィルタ機能を備えた押下部材とを具備することを特徴とする。
【００２５】
請求項９に係る発明の押しボタンスイッチは、開口部を有する枠体と、この枠体に押し込み操作可能に装着され、光の透過区分領域に応じて互いに異なる波長の光を選択的に透過させるフィルタ機能を備えた押下部材と、この押下部材に対する前記押し込み操作を受けて作動し、前記光の透過区分領域を透過する光を選択的に切り替え可能なスイッチ素子とを具備することを特徴とする。
【発明の効果】
【００２６】
請求項１に記載の表示機構によれば、区分領域に応じて互いに異なる波長の光を通過させるフィルタと、このフィルタの前記区分領域を通過可能な各光を発生する複数の発光源とを有するので、各区分領域別に光を誘導するような仕切りを必要とすることく、簡単な構成で区分領域毎に応じた表示が可能である。
【００２７】
請求項５に記載の押しボタンスイッチによれば、光の透過区分領域に応じて互いに異なる波長の光を通過させるフィルタ機能を備えた押下部材を備えるとともに、押下部材の押し込み操作に基づいて動作するスイッチ素子を設けたので、簡単な構成で、スイッチ素子の動作に応じた発光源のオン・オフ操作により、光の透過区分領域に応じた表示が可能である。
【００２８】
請求項９に記載の押しボタンスイッチによれば、光の透過区分領域に応じて互いに異なる波長の光を通過させるフィルタ機能を備えた押下部材を備えるとともに、押下部材の押し込み操作に基づいて動作するスイッチ素子を設けたので、簡単な構成により、スイッチ素子の動作に応じて、光の透過区分領域に対応した波長の光を選択透過させることができる。
【発明を実施するための最良の形態】
【００２９】
以下、本発明による表示機構を採用した押しボタンスイッチの一実施例を図１ないし図２を参照して詳細に説明する。なお、図３及び図４に示した従来の押しボタンスイッチと同一構成には同一符号を付して詳細な説明は省略する。
【００３０】
図１は本発明による押しボタンスイッチ１の一実施例を示した断面図である。
【００３１】
図１において、押しボタンスイッチ１は、フェースプレート２の取付孔２ａに嵌め込まれて取り付けられる。
【００３２】
押しボタンスイッチ１は、図示上下方向に開口部を有する角筒状の外枠１１を備え、枠体である外枠１１の上端部を枠取りするように嵌め込まれたボタン枠１１ａとともに、取付孔２ａに嵌め込み固定される。
【００３３】
外枠１１の上部開口部には、ボタン枠１１ａを介して板状の押下部材１３が嵌め込まれ、図示矢印Ｚ（上下）方向に押し込み操作が可能である。
【００３４】
押下部材１３は、合成樹脂やガラス等の光透過性部材で形成され、表面側は外部に露出された状態で外枠１１内に嵌め込まれ、ボタン枠１１ａによって上方外側に抜け出ないように規制されているとともに、区分領域に応じて互いに異なる波長の光を透過可能な板状のフィルタ１３ｃを下端面に貼り付けて構成されている。
【００３５】
外枠１１の下部開口部には、その開口を塞ぐように回路基板１２が取り付けられ、回路基板１２の外周縁部には複数個のスイッチ素子１４，１４がマウントされている。
【００３６】
各スイッチ素子１４の作動ロッド１４ａは、枠体状の操作子１５を介して、フィルタ１３ｃの下端周縁部に常時当接し、内蔵された不図示の圧縮バネ等により弱い押圧力で付勢されており、スイッチ素子１４は、利用客による押下部材１３に対する押し込み操作で、スイッチング動作を行うように構成されている。
【００３７】
図２は、図１に示したフィルタ１３ｃの平面図である。
【００３８】
フィルタ１３ｃは、図２に示したように、中央の階床表示領域１３ｃａと、その階床表示領域１３ｃａを囲む応答表示領域１３ｃｂとを形成し、中央の階床表示領域１３ｃａには階床番号（この実施例を示した図２では、１の数字）が印刷表示されているが、階床表示領域１３ｃａと応答表示領域１３ｃｂとでは、互いに異なる波長の光を透過するように構成されている。
【００３９】
回路基板１２の上面には、ほぼフィルタ１３ｃの中央の階床表示領域１３ｃａに対応する直下位置に第１の発光ダイオード１７ａが、周囲の応答表示領域１３ｃｂに対応するように第２の発光ダイオード１７ｂがそれぞれ複数個対応配置されて取り付けられている。
【００４０】
第１の発光ダイオード１７ａは、フィルタ１３ｃの階床表示領域１３ｃａを透過する光を発生し、第２の発光ダイオード１７ｂは、応答表示領域１３ｃｂを透過する光を発生する。
【００４１】
具体的には、第１の発光ダイオード１７ａは、６１０〜７００ｍｍの波長を発光する赤色発光ダイオードを採用し、第２の発光ダイオード１７ｂは、４５０〜５００ｍｍの波長を発光する青色発光ダイオードを採用している。
【００４２】
従って、フィルタ１３ｃの階床表示領域１３ｃａは、６１０〜７００ｍｍの波長を透過するフイルタ特性を有し、応答表示領域１３ｃｂは４５０〜５００ｍｍの波長を透過するフィルタ特性を有するように構成されており、各表示領域を形成したフィルタ１３ｃを得るために、押下部材１３の下面には、それぞれ赤色系シルクインキ及び青色系シルクインクによるいわゆるシルク印刷が施されている。
【００４３】
なお、回路基板１２には、従来と同様に、電源供給回路や信号授受の回路が印刷されていて、それらの回路は不図示のコネクタを介して電源及びエレベータの制御盤等に接続されている。
【００４４】
上記構成の表示機構によれば、フィルタ１３ｃは、第１及び第２の各発光ダイオード１７ａ，１７ｂを同時に点灯表示したとしても、階床表示領域１３ｃａは第１の発光ダイオード１７ａからの赤色光を、応答表示領域１３ｃｂは第２の発光ダイオード１７ｂからの青色光を、それぞれ互いに他の波長の光と区別して透過する。
【００４５】
従って、以下説明するように、押しボタンスイッチの利用客は、各表示領域における識別点灯表示により、自己の押しボタン操作の結果を的確に把握することができる。
【００４６】
上記構成の押しボタンスイッチ１は、押下部材１３に対する押し込み操作に応じたスイッチ素子１４のスイッチング動作により、不図示の制御回路が作動して、第１の発光ダイオード１７ａ及び第２の発光ダイオード１７ｂが点灯制御されるが、上記構成の押しボタンスイッチ１を乗りかご内の行先階登録ボタンに採用したときの動作を以下説明する。
【００４７】
制御回路を構成したエレベータの制御盤は、行先階登録可能な階床に対応した押しボタンスイッチ１に対し、予め第１の発光ダイオード１７ａを点灯させるので、赤色光はフィルタ１３ｃの階床表示領域１３ａａを透過して表示する。従って、乗客は赤色に明るく表示された階床番号（図２では、１の数字）を見て、当該番号の階が行先階登録可能な階であることを認識できる。
【００４８】
そこで、利用客（かご内乗客が）が当該押しボタンスイッチ１の押下部材１３を押し込み操作を行うと、スイッチ素子１４が作動し、そのスイッチング信号が制御盤に伝送される。
【００４９】
制御盤は当該押しボタンスイッチ１の行先階登録があったことを検知して、第２の発光ダイオード１７ｂが点灯表示するように制御するので、利用客は、階床表示領域１３ａａの点灯表示に加えて、新たに応答表示領域１３ａｂが青色に明るく表示されるのを見て、行先階が適正に登録されたことを確認できる。
【００５０】
このように、フィルタ１３は、各光の透過区分領域毎に互いに異なる波長の光を透過させるように構成したので、各透過波長の光を発する発光源を複数混在させたとしても、これら各発光源からの光毎に該当する透過区分領域へ光を導くための複雑な誘導路を設けることなく、各発光源からの光の波長に対応した区分領域が他と区別して透過表示することができる。
【００５１】
上記実施例では、フィルタ１３ｃの中央部は階床表示領域１３ｃａであり、階床番号を表示した旨説明したが、押しボタンスイッチ１を乗場階の呼び登録ボタンとして構成した場合は、階数を示す数字に代えて、乗りかごの移動方向を示す矢印記号等を表示することができる。
【００５２】
また、上記実施例では、フィルタ１３ｃを形成するのに合成樹脂板あるいはガラス板にシルク印刷を行い押下部材１３の下面に貼り付けるように説明したが、合成樹脂製あるいはガラス製の押下部材１３に直接シルク印刷を行うことでフィルタを形成しても良い。
【００５３】
また、フィルタ１３ｃを形成するのに、シルク印刷に代えてレーザー印刷を採用しても良く、合成樹脂板あるいはガラス板のフィルタ１３ｃに代えて、予めフィルタ特性を有するシートやフィルムを透過区分領域の形状に合わせて切り抜き、押下部材１３の下面に貼り付けても良い。
【００５４】
また、押下部材１３及びフィルタ１３ｃは、それぞれ一層で構成したが、面領域で光の透過区分領域が形成されれば良いので、多層の重ね合わせで構成することができる。
【００５５】
さらに上記実施例では、押下部材１３及びフィルタ１３ｃを一体化させて形成したが、押下部材１３とフィルタ１３ｃとを切り離し、フィルタ１３ｃを外枠１１内で位置固定して配置させ、押し込み操作により押下部材１３がスイッチ素子１４を直接作動させるように構成することもできる。
【００５６】
また、押下部材１３は四角形状である旨説明したが、円形その他任意の形状でも良く、また発光源の数やフィルタ１３ｃにおける光の透過区分領域の形状や数等は必要に応じて任意に組み合わせ構成することができる。
【００５７】
以上説明のように、表示機構を採用した本実施例の押しボタンスイッチによれば、少なくとも区分領域に応じて互いに異なる波長の光を通過させるフィルタと、このフィルタの各透過区分領域を通過可能な波長の光を発生する複数の発光源で構成したので、遮光板等の複雑な光誘導路を格別設けることなく、少ない部品点数でコンパクト化が可能であり、実用に際し得られる効果大である。
【図面の簡単な説明】
【００５８】
【図１】本発明による押しボタンスイッチの一実施例を示した断面図である。
【図２】図１に示したフィルタの平面図である。
【図３】従来の押しボタンスイッチを示した断面図である。
【図４】図３に示したフィルタの平面図である。
【符号の説明】
【００５９】
１  押しボタンスイッチ
１１  外枠（枠体）
１１ａ  ボタン枠
１２  回路基板（基板）
１３  押下部材
１３ｃ  フィルタ
１３ｃａ  階床表示領域（光の透過区分領域）
１３ｃｂ  応答表示領域（光の透過区分領域）
１４  スイッチ素子
１４ａ  作動ロッド
１５  操作子
１７ａ  第１の発光ダイオード（発光源）
１７ｂ  第２の発光ダイオード（発光源）
【図１】
2006126735.tif 000003
【図２】
2006126735.tif 000004
【図３】
2006126735.tif 000005
【図４】
2006126735.tif 000006